(57)【要約】【課題】設計段階や製作段階における工数の低減を可能とするバイナリー発電システムを提供する。【解決手段】バイナリー発電システム１００は、熱源である第１流体の熱を用いて発電を行う１つまたは複数のバイナリー発電ユニット１を備え、バイナリー発電ユニット１は、第１流体と第２流体との熱交換により第２流体を加熱するための熱交換器３と、熱交換器３で加熱された第２流体を流通させ、第２流体と作動媒体との熱交換により作動媒体を蒸発させ、蒸発した作動媒体により発電を行う１台のバイナリー発電装置４と、熱交換器３とバイナリー発電装置４とがそれぞれ所定の位置に設置される共通のベース３０と、を備える。【選択図】図３
2018031357.tif 000002
【特許請求の範囲】
【請求項１】
熱源である第１流体の熱を用いて発電を行う１つまたは複数のバイナリー発電ユニットを備えるバイナリー発電システムであって、
前記バイナリー発電ユニットは、
前記第１流体と第２流体との熱交換により前記第２流体を加熱するための熱交換器と、
前記熱交換器で加熱された前記第２流体を流通させ、前記第２流体と作動媒体との熱交換により前記作動媒体を蒸発させ、蒸発した前記作動媒体により発電を行う１台のバイナリー発電装置と、
前記熱交換器と前記バイナリー発電装置とがそれぞれ所定の位置に設置される共通のベースと、を備える、バイナリー発電システム。
【請求項２】
前記熱交換器は、前記ベースに固定される底面と、側方に面する第１メンテナンス面とを含み、
前記バイナリー発電装置は、前記ベースに固定される底面と、側方に面する第２メンテナンス面とを含み、
前記熱交換器および前記バイナリー発電装置は、第１メンテナンス面および第２メンテナンス面がいずれも前記ベースの周縁部側に面するように設置される、請求項１に記載のバイナリー発電システム。
【請求項３】
前記バイナリー発電ユニットは、
前記ベース上に設置されて前記バイナリー発電装置を覆うカバーを備える、請求項１または２に記載のバイナリー発電システム。
【請求項４】
複数の前記バイナリー発電ユニットと、
複数の前記バイナリー発電ユニットに対して共通に設けられた１つの冷却装置と、を備える、請求項１〜３のいずれか一項に記載のバイナリー発電システム。
【請求項５】
複数の前記バイナリー発電ユニットは、一定の間隔をもって平行に配置されている、請求項４に記載のバイナリー発電システム。
【発明の詳細な説明】
【技術分野】
【０００１】
本発明は、バイナリー発電システムに関する。
【背景技術】
【０００２】
従来、低温廃熱から電力としてエネルギー回収するため、低沸点の作動媒体を用いたランキンサイクル装置が知られている。ランキンサイクル装置として、バイナリー発電装置が知られている。バイナリー発電システムは、低温廃熱等の熱源が持っている熱エネルギーを用いて発電を行うため、外部から供給される温水と冷却水を必要とする。バイナリー発電システムは、発電機以外に、熱交換器と、温水循環ポンプ等のポンプ類とを備えている。
【先行技術文献】
【特許文献】
【０００３】
【特許文献１】特開２０１５−１３５０６３号公報
【発明の概要】
【発明が解決しようとする課題】
【０００４】
バイナリー発電システムは、熱交換器、ポンプ類、各計装機器類（たとえば、温度計や圧力計等）、発電機用屋外カバー等を備える。これらの付帯設備を実際に現地に据え付ける場合には、レイアウトの検討が必要である。たとえば、現地にて得られる熱量によって発電量も変わるので、発電機（バイナリー発電装置）の数量が変わり得る。発電機が１台、２台、または３台と変わる度に、レイアウトの検討が必要である。これは、設計工数や製作工数の増大を招く。本発明は、設計段階や製作段階における工数の低減を可能とするバイナリー発電システムを提供することを目的とする。
【課題を解決するための手段】
【０００５】
本発明の一態様に係るバイナリー発電システムは、熱源である第１流体の熱を用いて発電を行う１つまたは複数のバイナリー発電ユニットを備え、バイナリー発電ユニットは、第１流体と第２流体との熱交換により第２流体を加熱するための熱交換器と、熱交換器で加熱された第２流体を流通させ、第２流体と作動媒体との熱交換により作動媒体を蒸発させ、蒸発した作動媒体により発電を行う１台のバイナリー発電装置と、熱交換器とバイナリー発電装置とがそれぞれ所定の位置に設置される共通のベースと、を備える。
【０００６】
このバイナリー発電システムによれば、熱交換器とバイナリー発電装置とを備えるバイナリー発電ユニットにおいて、これらが共通のベース上に配置される。よって、組立工場において予め装置および機器類を組み付けた上で、バイナリー発電ユニットを現地に搬入および据え付ければよい。発電機（すなわちバイナリー発電装置）の台数が増える場合でも、標準化（言い換えれば、ユニット化若しくはスキッド化）された同一のバイナリー発電ユニットを複数据え付けるだけでよい。これにより、設計段階、製作段階、および据付段階における工数の低減が可能である。また、標準化された同一のバイナリー発電ユニットを用いることで、熱交換器とバイナリー発電装置との間の距離（たとえば配管の長さ等）はすべてのユニットにおいて同一となる。よって、バイナリー発電ユニットに流入する熱量が同じであれば発電量も略同じとなり、発電量のばらつきが抑えられる。このことは、精度あるいは品質の向上を可能とする。このように、コスト面および品質面における効果が得られる。
【０００７】
いくつかの態様において、熱交換器は、ベースに固定される底面と、側方に面する第１メンテナンス面とを含み、バイナリー発電装置は、ベースに固定される底面と、側方に面する第２メンテナンス面とを含み、熱交換器およびバイナリー発電装置は、第１メンテナンス面および第２メンテナンス面がいずれもベースの周縁部側に面するように設置される。この場合、熱交換器の第１メンテナンス面およびバイナリー発電装置の第２メンテナンス面がベースの周縁部側に面するので、ベースの外部からバイナリー発電装置や熱交換器へのアクセスが容易であり、メンテナンス性が向上する。複数のバイナリー発電ユニットを備える場合でも、バイナリー発電装置や熱交換器の配置は同一であるので、ユニットに応じてアクセス位置や姿勢などを変える必要がなく、良好なメンテナンス性が実現される。
【０００８】
いくつかの態様において、バイナリー発電ユニットは、ベース上に設置されてバイナリー発電装置を覆うカバーを備える。従来、複数のバイナリー発電装置が設置される場合に、１つの共通のカバーが設けられることがあった。それに対して上記の形態では、カバーが、バイナリー発電ユニットのベース上に設置されて１台のバイナリー発電装置を覆う。よって、組立工場において予めカバーを組み付けることができ、複数のバイナリー発電装置を覆う大型のカバーを現地で据え付ける必要がない。これにより、据付段階における工数の低減が可能である。また、このことは、バイナリー発電装置を個別に管理する上で有用である。たとえば、現地に腐食性ガスが充満している場合、共通のカバーが設けられていると、カバーを開けた際、複数のバイナリー発電装置が腐食性ガスに晒される。上記の形態によれば、腐食性ガスに晒されるのは、そのカバーが覆っているバイナリー発電装置に限られる。よって、バイナリー発電装置に対する、腐食性ガス等の現地の雰囲気の影響を低減することができる。
【０００９】
いくつかの態様において、バイナリー発電システムは、複数のバイナリー発電ユニットと、複数のバイナリー発電ユニットに対して共通に設けられた１つの冷却装置と、を備える。この場合、バイナリー発電装置はユニット化される一方、１つの冷却装置が、バイナリー発電ユニットの外部において、複数のバイナリー発電ユニットに対して共通に設けられる。ユニット内に個々の冷却装置を設置する場合に比して、全体としての効率化が図られている。
【００１０】
いくつかの態様において、複数のバイナリー発電ユニットは、一定の間隔をもって平行に配置されている。この場合、複数のバイナリー発電ユニットにおいてあらゆる機器の向きが揃う。これにより、メンテナンス性がさらに向上する。
【発明の効果】
【００１１】
本発明のいくつかの態様によれば、設計段階、製作段階、および据付段階における工数の低減が可能になる。
【図面の簡単な説明】
【００１２】
【図１】本発明の実施形態に係るバイナリー発電システムの概略構成を示す図である。
【図２】図１のバイナリー発電システムの正面図である。
【図３】図１のバイナリー発電システムにおける１階部分の平面図である。
【図４】図１のバイナリー発電ユニットを２台備えるバイナリー発電システムの概略構成を示す図である。
【図５】図４のバイナリー発電システムにおける１階部分の平面図である。
【図６】図１のバイナリー発電ユニットを３台備えるバイナリー発電システムにおける１階部分の平面図である。
【発明を実施するための形態】
【００１３】
以下、本発明の実施形態について、図面を参照しながら説明する。なお、図面の説明において同一要素には同一符号を付し、重複する説明は省略する。
【００１４】
まず、図１を参照して、一実施形態に係るバイナリー発電システム１００について説明する。図１〜図３に示されるように、バイナリー発電システム１００は、温水（第１流体）を熱源として利用し、発電を行うシステムである。バイナリー発電システム１００は、熱源として、たとえば温泉水を利用する。バイナリー発電システム１００は、源泉が引かれる場所と、温泉地の給湯先との間に設置され得る。バイナリー発電システム１００によって利用され得る源泉の温度は、たとえば、７０〜９５℃程度である。
【００１５】
バイナリー発電システム１００は、温水（温泉水等）との熱交換によりバイナリー発電装置４の熱源である温水（第２流体）を加熱するための熱交換器３と、温水により加熱され蒸発した作動媒体によって発電を行う１台のバイナリー発電装置４と、作動媒体を冷却して凝縮させるための１つの冷却塔（冷却装置）７と、を備えている。バイナリー発電システム１００は、温水を貯留する源泉タンク（図示せず）を備えてもよい。
【００１６】
源泉タンクおよび熱交換器３は、温水を熱交換器３に供給するための熱源ラインＬ１によって接続されている。熱源ラインＬ１には、温水を熱交換器３に供給する供給ポンプ（図示せず）が設けられてもよい。熱源ラインＬ１には、熱源ラインＬ１によって供給される温水の入口温度を検出する入口温度計Ｔ１と、温水の供給流量を検出する入口流量計Ｆ１とが設けられている。入口温度計Ｔ１は、温水が熱交換器３との間で熱交換を行う前の入口温度を検出する。なお、「ライン」は、内部を流体が流れる配管を意味する。
【００１７】
熱源ラインＬ１の一部は熱交換器３内を流通しており、熱交換部１３とされている。熱源ラインＬ１は、熱交換器３よりも上流側で分岐しており、熱交換器３をバイパスするバイパスラインが設けられている。熱源ラインＬ１の分岐点の下流側には、温水が通る流路を熱交換器３とバイパスラインとに切替えるための自動弁が設けられている。
【００１８】
熱交換器３は、たとえば、向流式の熱交換器である。熱交換器３内には、バイナリー発電装置４の熱源である温水を流す温水循環ラインＬ３の一部が流通しており、熱交換部１４とされている。熱交換器３は、並流式の熱交換器であってもよい。熱交換器３では、熱源ラインＬ１を流れる温水と温水循環ラインＬ３内の温水との間で、熱交換が行われ、この熱交換によって加熱された温水は、バイナリー発電装置４の蒸発器において作動媒体を蒸発させる。温水循環ラインＬ３には、熱交換器３とバイナリー発電装置４との間で温水を循環させる温水循環ポンプ１２が設けられている。温水循環ラインＬ３には、循環する温水の流量を検出する温水流量計Ｆ２が設けられている。
【００１９】
バイナリー発電装置４は、温水を熱源として発電を行うことができるように構成されている。バイナリー発電装置４は、たとえば５〜２０ｋＷ程度の出力で発電可能な小型の発電装置である。バイナリー発電装置４は、たとえばオーガニックランキンサイクル（Organic  Rankine  Cycle；ＯＲＣ）が採用された装置である。バイナリー発電装置４は、加熱され蒸発した作動媒体により回転させられるタービンと発電機とを備えており、タービンの回転により発電を行う。バイナリー発電装置４に用いられる作動媒体は、たとえば不活性ガスである。なお、図示は省略されているが、バイナリー発電装置４は、蒸発器、凝縮器、操作パネル（タッチパネル）、ＡＣ−ＤＣコンバータ、系統連係コンバータ、および、絶縁トランス等の付属機器を含む。
【００２０】
バイナリー発電装置４には、冷却水ラインＬ４を介して、冷却塔７が接続されている。冷却塔７で冷却された冷却水は、バイナリー発電装置４の凝縮器において作動媒体を凝縮させる。冷却水ラインＬ４には、冷却水を循環させる冷却水ポンプ１６が設けられる。冷却水ラインＬ４には、冷却水の流量を検出する冷却水流量計Ｆ３が設けられている。冷却塔７には、冷却風を発生させて冷却塔７内に送るための冷却ファン１７が取り付けられている。冷却塔７には、外部から補給水が供給される。
【００２１】
冷却水ラインＬ４は、バイナリー発電装置４からの排出口と冷却塔７との間で分岐している。冷却水ラインＬ４から分岐した活水器ラインＬ２には、活水器２０が設けられている。活水器２０は、冷却水ラインＬ４におけるスケールの析出・付着を抑えるためのスケール除去装置である。
【００２２】
バイナリー発電システム１００は、上述の各機器を制御するための制御盤１０を備えている。制御盤１０は、上述の各機器を制御するコントローラ１０ａと、コントローラ１０ａに対する入出力を行うための操作パネル等を備えている。コントローラ１０ａは、たとえばＣＰＵ（Central  Processing  Unit)、ＲＯＭ(Read  Only  Memory)、およびＲＡＭ(Random  Access  Memory)等のハードウェアと、ＲＯＭに記憶されたプログラム等のソフトウェアと、から構成されたコンピュータである。バイナリー発電システム１００は、入口温度計Ｔ１と通信可能であり、入口温度計Ｔ１から出力される温水の入口温度を示す信号を入力する。コントローラ１０ａは、入力した信号に基づいて、上述の各機器を制御する。
【００２３】
本実施形態のバイナリー発電システム１００では、標準化されたバイナリー発電ユニット１が採用されている。バイナリー発電ユニット１は、上述の熱交換器３、バイナリー発電装置４、温水循環ポンプ１２、および冷却水ポンプ１６をはじめとして、計装機器類（たとえば、温度計や圧力計等）や配管類を備えるが、これの装置、機器、および配管類は、それぞれ所定の定められた位置に設置される。バイナリー発電ユニット１は、組立工場において、ある程度の組立ておよび据付けが完了した状態で、現地（温泉地や工場等の熱源が発生するサイト）に搬入される。
【００２４】
他のサイトに適用され得るバイナリー発電ユニット１も、バイナリー発電装置４の出力が同じであれば、まったく同じ設計とされている。たとえば、２０ｋＷのバイナリー発電装置４を備えるバイナリー発電ユニット１の場合、熱交換器３、温水循環ポンプ１２、冷却水ポンプ１６、計装機器類、および配管類は、同一のものが採用され、設置位置や敷設位置も同一とされる。このように、バイナリー発電ユニット１は、標準化されたユニットである。言い換えれば、バイナリー発電ユニット１は、ユニット化若しくはスキッド化されている。
【００２５】
なお、すべての装置、機器および配管が据え付けられた状態で、バイナリー発電ユニット１が現地に搬入される必要はない。一部の装置、機器、配管は、現地で据え付けられてもよい。ベース３０は、その大きさに応じて、分割式になっていてもよい。たとえば、ベース３０は、バイナリー発電装置４が設置される第１ベースと、バイナリー発電装置４以外の機器が設置される第２ベースとを備えてもよい。第１ベースに装置または機器が据え付けられ、第２ベースに装置または機器が据え付けられた状態で、これらが現地に搬入されてもよい。
【００２６】
図２および図３に示されるように、バイナリー発電ユニット１は、バイナリー発電ユニット１が備えるすべての装置、機器、および配管類を所定の位置に設置するための共通のベース３０を備えている。すなわち、ベース３０上に、すべての装置および機器が据え付けられている（すなわち固定されている）。ベース３０は、たとえば複数の鋼材が組み合わされて形成される。ベース３０は、矩形状である。ベース３０は、たとえば長方形状（図３参照）である。ベース３０は、メンテナンスを行う作業者が乗れるような底板を含んでもよい。
【００２７】
ベース３０は、平行な第１長辺部３１および第２長辺部３２と、平行な第１短辺部３３および第２短辺部３４とを含む。ベース３０の長手方向の第１端（第１短辺部３３側）には、バイナリー発電装置４が設置されている。ベース３０上には、バイナリー発電装置４を覆うカバー６が設けられている。カバー６は、直方体状の筐体である。バイナリー発電装置４は、カバー６内に収容されている。
【００２８】
カバー６は、第１長辺部３１、第２長辺部３２、および第１短辺部３３に沿った三方の面に、複数の扉３６を含んでいる。扉３６は、たとえば観音開き式であり、１つの面に２枚の扉３６が設けられている。扉３６が作業者によって開閉されることで、バイナリー発電装置４に対するメンテナンス（点検や操作を含む）が行われる。
【００２９】
熱交換器３、バイナリー発電装置４、温水循環ポンプ１２、および冷却水ポンプ１６は、ベース３０上であって地上階（すなわち１階）の高さに設置されているが、ベース３０上には、上階（すなわち２階）を構成するステージ３９が設置されている。ステージ３９は、バイナリー発電装置４およびカバー６が設けられた範囲を除く範囲に設置されている。ステージ３９は、ベース３０に立設された複数の柱と、柱上に固定された天板とを含む。ステージ３９は、熱交換器３、温水循環ポンプ１２、および冷却水ポンプ１６を覆うように設けられている。ステージ３９上に、冷却塔７が設置されている。なお、これらのステージ３９および冷却塔７は、標準化されたバイナリー発電ユニット１には含まれない、外部の装置または機器類である。
【００３０】
ベース３０の長手方向の第２端（第２短辺部３４側）には、熱交換器３、温水循環ポンプ１２、および冷却水ポンプ１６が設置されている。熱交換器３の底面３ａがベース３０に固定されており、熱交換器３のメンテナンス面（第１メンテナンス面）３ｂは、第１長辺部３１側に面している。言い換えれば、メンテナンス面３ｂは、第１長辺部３１に沿っており、近接している。メンテナンス面とは、装置または機器の１つの側面であり、点検や清掃や部品交換等のメンテナンスが行われ得る面である。たとえば、メンテナンス面３ｂに作業者がアクセスすることにより、熱交換器３のメンテナンスが行われ得る。
【００３１】
このように、バイナリー発電ユニット１では、メンテナンス性が考慮された設計が採用されている。温水循環ポンプ１２の底面１２ａがベース３０に固定されており、温水循環ポンプ１２のメンテナンス面１２ｂは、第１長辺部３１側に面している。言い換えれば、メンテナンス面１２ｂは、第１長辺部３１に沿っており、近接している。一方、冷却水ポンプ１６の底面１６ａがベース３０に固定されており、冷却水ポンプ１６のメンテナンス面１６ｂは、第２長辺部３２側に面している。言い換えれば、メンテナンス面１６ｂは、第２長辺部３２に沿っており、近接している。
【００３２】
バイナリー発電装置４についても、同様である。バイナリー発電装置４は、上述のとおり、タービン、発電機、蒸発器、凝縮器、および操作パネル（タッチパネル）を含んでいる。バイナリー発電装置４の底面４ａは、ベース３０に固定されている。バイナリー発電装置４は、第１長辺部３１側に面するメンテナンス面４１と、第２長辺部３２側に面するメンテナンス面４２と、第１短辺部３３側に面するメンテナンス面４３とを含む。メンテナンス面４１、メンテナンス面４２、およびメンテナンス面４３は、それぞれ、第１長辺部３１、第２長辺部３２、および第１短辺部３３に沿っている。これらのメンテナンス面（第２メンテナンス面）４１〜４３は、タービン、発電機、蒸発器、凝縮器、および操作パネル（タッチパネル）のメンテナンスや操作を行うための３つの側面である。これらのメンテナンス面４１〜４３に対応して、上記した複数の扉３６が設けられている。
【００３３】
なお、側面４４は、単に配管類（温水循環ラインＬ３や冷却水ラインＬ４）が設けられる面であり、メンテナンスの頻度・必要性は低い。側面４４は、ベース３０の周縁部に面していない。
【００３４】
制御盤１０は、ベース３０上に設置され得る。制御盤１０は、ベース３０の外部に設置されてもよい。制御盤１０は、標準化されたバイナリー発電ユニット１には含まれない。
【００３５】
バイナリー発電システム１００によれば、熱交換器３とバイナリー発電装置４とを備えるバイナリー発電ユニット１において、これらが共通のベース３０上に配置されている。よって、組立工場において予め装置および機器類を組み付けた上で、バイナリー発電ユニット１を現地に搬入および据え付ければよい。発電機（すなわちバイナリー発電装置４）の台数が増える場合でも、標準化（言い換えれば、ユニット化若しくはスキッド化）された同一のバイナリー発電ユニットを複数据え付けるだけでよい。これにより、従来のような一品一様の設計等は不要になっており、設計段階、製作段階、および据付段階における工数の低減が可能である。また、標準化された同一のバイナリー発電ユニット１を用いることで、熱交換器３とバイナリー発電装置４との間の距離（たとえば配管の長さ等）はすべてのユニットにおいて同一となる。よって、バイナリー発電ユニットに流入する熱量が同じであれば発電量も略同じとなり、発電量のばらつきが抑えられる。このことは、精度あるいは品質の向上を可能とする。このように、コスト面および品質面における効果が得られる。
【００３６】
熱交換器３のメンテナンス面３ｂおよびバイナリー発電装置４の第２メンテナンス面４１〜４３がベース３０の周縁部３１〜３３側に面するので、ベース３０の外部からバイナリー発電装置４や熱交換器３へのアクセスが容易であり、メンテナンス性が向上している。なお、複数のバイナリー発電ユニット１を備える場合でも、バイナリー発電装置４や熱交換器３の配置は同一であるので、ユニットに応じてアクセス位置や姿勢などを変える必要がなく、良好なメンテナンス性が実現される。
【００３７】
バイナリー発電ユニット１は、ベース３０上に設置されてバイナリー発電装置４を覆うカバー６を備えるので、組立工場において予めカバー６を組み付けることができる。
【００３８】
ところでバイナリー発電システムは、熱源において得られる熱量に応じて、１つまたは複数のバイナリー発電装置４を備えることができる。たとえば、２０ｋＷのバイナリー発電装置４であれば、台数に応じて、２０ｋＷ、４０ｋＷ、６０ｋＷ、…と順次規模を大きくすることができる。本実施形態のバイナリー発電ユニット１を用いることで、複数のバイナリー発電装置４を備えるバイナリー発電システムに対しても、コスト面および品質面におけるメリットが得られる。
【００３９】
図４および図５は、２台のバイナリー発電装置４を備えるバイナリー発電システム２００を示している。このバイナリー発電システム２００においても、２つの同じバイナリー発電ユニット１が用いられる。図５に示されるように、２つのバイナリー発電ユニット１は、一定の間隔をもって平行に配置されている。２つのバイナリー発電ユニット１は、コンクリートからなる基礎５０上に設置されてもよい。すなわち、２つのベース３０が、基礎５０上に並設される。
【００４０】
２つのバイナリー発電ユニット１に対して、１つの冷却塔７が設けられている。２つのバイナリー発電ユニット１は、熱源側において、熱源集合ラインＬ１１およびドレン集合ラインＬ１２によって接続される。２つのバイナリー発電ユニット１は、冷却塔７側において、冷却水供給集合ラインＬ１４および冷却水戻り集合ラインＬ１３によって接続される。活水器２０は、冷却水戻り集合ラインＬ１３に設けられる。これらのラインＬ１１〜Ｌ１４は、たとえばヘッダ管として構成される。なお、図５において、冷却塔７の図示は省略されている。冷却塔７は、バイナリー発電システム１００と同様、ステージ３９上に設けられてもよい。冷却塔７は、バイナリー発電ユニット１とバイナリー発電ユニット１との間であって、２階の高さに設けられてもよい。
【００４１】
このように、２つのバイナリー発電ユニット１を備えるバイナリー発電システム２００では、標準化（ユニット化若しくはスキッド化）された同一のバイナリー発電ユニット１を複数据え付けるだけでよい。これにより、設計段階、製作段階、および据付段階における工数が低減される。また、標準化された同一のバイナリー発電ユニット１を用いることで、熱交換器３とバイナリー発電装置４との間の距離（たとえば配管の長さ等）はすべてのユニットにおいて同一となる。よって、バイナリー発電ユニットに流入する熱量が同じであれば発電量も略同じとなり、発電量のばらつきが抑えられる。これにより、精度あるいは品質が向上する。
【００４２】
複数のバイナリー発電ユニット１を備える場合でも、バイナリー発電装置４や熱交換器３の配置は同一であるので、ユニットに応じてアクセス位置や姿勢などを変える必要がなく、良好なメンテナンス性が実現される。
【００４３】
従来、複数のバイナリー発電装置が設置される場合に、１つの共通のカバーが設けられることがあった。それに対して上記の形態では、カバー６が、バイナリー発電ユニット１のベース３０上に設置されて個々のバイナリー発電装置４を覆う。よって、組立工場において予めカバー６を組み付けることができ、複数のバイナリー発電装置４を覆う大型のカバーを現地で据え付ける必要がない。これにより、据付段階における工数が低減される。また、このことは、バイナリー発電装置を個別に管理する上で有用である。たとえば、現地に腐食性ガスが充満している場合、共通のカバーが設けられていると、カバーを開けた際、複数のバイナリー発電装置４が腐食性ガスに晒される。バイナリー発電システム２００によれば、腐食性ガスに晒されるのは、そのカバー６が覆っているバイナリー発電装置４に限られる。よって、他のバイナリー発電装置４に対する、腐食性ガス等の現地の雰囲気の影響を低減することができる。
【００４４】
各バイナリー発電装置４はユニット化される一方、１つの冷却塔７が、バイナリー発電ユニット１の外部において、２つのバイナリー発電ユニット１に対して共通に設けられる。これにより、ユニット内に個々の冷却装置を設置する場合に比して、全体としての効率化が図られている。
【００４５】
２つのバイナリー発電ユニット１は、一定の間隔をもって平行に配置されているので、２つのバイナリー発電ユニット１においてあらゆる機器の向きが揃っている（図５参照）。これにより、メンテナンス性がさらに向上している。バイナリー発電ユニット１とバイナリー発電ユニット１との間には、作業スペースが存在するので、双方のバイナリー発電ユニット１に対するメンテナンスを行うこともできる。また、熱源ラインＬ１や冷却水ラインＬ４が外部の配管と接続される接続点（フランジ等の取り合い点）が、同じ向きに向けられるので、設計上も、施工上も、外部の配管の接続や取り回しが容易になっている。
【００４６】
複数のバイナリー発電ユニット１を現地に設置していけばよいので、敷地の形状や大きさの制約を受けにくく、配置の自由度が高い。なお、バイナリー発電システム２００のように、２つのバイナリー発電ユニット１を平行に配置しなくてもよい。複数のバイナリー発電ユニット１を、敷地の条件に応じて、分散させて配置してもよい。
【００４７】
また、コントローラ１０ａにおける制御においても、有利な効果が奏される。各バイナリー発電ユニット１において配管の長さや、装置および機器の構成は同一であるので、制御が単純化する。たとえば、入口流量計Ｆ１および入口温度計Ｔ１からの信号を２系列分入力するのではなく、いずれか１系列の入口流量計Ｆ１および入口温度計Ｔ１からの信号を入力して、２つのバイナリー発電ユニット１の制御を行ってもよい。
【００４８】
上記した複数台のバイナリー発電装置４を備えるバイナリー発電システム２００のメリットは、バイナリー発電装置４の台数が何台になっても同様に得られる。図６に示されるように、３台のバイナリー発電装置４を備えるバイナリー発電システム３００においても、３つの同じバイナリー発電ユニット１が用いられる。３つのバイナリー発電ユニット１は、一定の間隔をもって平行に配置され得る。
【００４９】
以上、本発明の実施形態について説明したが、本発明は上記実施形態に限られない。温水循環ポンプ１２や冷却水ポンプ１６は、バイナリー発電ユニット１の外部に設置されてもよい。
【００５０】
複数のバイナリー発電ユニット１は平行に配置されなくてもよい。たとえば、敷地の中央に熱源が配置されている場合等において、各バイナリー発電ユニット１を敷地の周縁部に分散させて配置してもよい。複数のバイナリー発電ユニット１によって囲まれた位置に熱源が位置してもよい。
【符号の説明】
【００５１】
１  バイナリー発電ユニット
３  熱交換器
３ａ  底面
３ｂ  メンテナンス面（第１メンテナンス面）
４  バイナリー発電装置
４ａ  底面
６  カバー
７  冷却塔（冷却装置）
１０  制御盤
１０ａ  コントローラ
１２  温水循環ポンプ
１２ａ  底面
１２ｂ  メンテナンス面
１６  冷却水ポンプ
１６ａ  底面
１６ｂ  メンテナンス面
３０  ベース
３１  第１長辺部（周縁）
３２  第２長辺部（周縁）
３３  第１短辺部（周縁）
３４  第２短辺部
４１  メンテナンス面（第２メンテナンス面）
４２  メンテナンス面（第２メンテナンス面）
４３  メンテナンス面（第２メンテナンス面）
１００、２００、３００  バイナリー発電システム
【図１】
2018031357.tif 000003
【図２】
2018031357.tif 000004
【図３】
2018031357.tif 000005
【図４】
2018031357.tif 000006
【図５】
2018031357.tif 000007
【図６】
2018031357.tif 000008